(57)【要約】【課題】  設定金額のデータとカードとの対応づけが簡単にでき、カードに対応づける金額の設定を、カードの贈り主が自由にできるカードシステムを提供すること。【解決手段】  はがきなどのカードに、各カードに特有の情報であって、金融機関の口座への振り込みをする際に振り込み人を特定する振り込み人特定ＩＤを設け、上記カードに表示された振り込み人特定ＩＤを振り込みの名義人名として金融機関に開設された管理者の口座に振り込みが実施され、これら振り込み人特定ＩＤと振り込まれた金額データとを対応づけた口座データがバンクコンピュータから送信されたとき、管理コンピュータが、受信した口座データを上記振り込み人特定ＩＤに基づいて記憶し、外部機器から上記振り込み人特定ＩＤを指定してアクセスがあったとき、対応する金額の送金指令を出力するなどの目的の処理を実行する。【選択図】  図１
2014085702.tif 000002
【特許請求の範囲】
【請求項１】
はがきなどのカードと、
上記カードに表示され、各カードに特有の情報であって、金融機関の口座への振り込みをする際に振り込み人を特定する振り込み人特定ＩＤと、
管理者の口座データを管理する金融機関のバンクコンピュータに接続された管理コンピュータとを備え、
上記管理コンピュータは、
上記カードに表示された振り込み人特定ＩＤを振り込みの名義人名として上記管理者の口座に振り込みが実施され、これら振り込み人特定ＩＤと振り込まれた金額データとを対応づけた口座データが上記バンクコンピュータから送信されたとき、
上記口座データを受信する機能と、
受信した口座データを上記振り込み人特定ＩＤに基づいて記憶する機能と、
外部機器から上記振り込み人特定ＩＤを指定してアクセスがあったとき、目的の処理を実行する機能とを備えたカードシステム。
【請求項２】
上記目的の処理は、管理者の口座から他の口座への送金指令を出力する処理であり、
上記管理コンピュータは、上記外部機器から振り込み人特定ＩＤとともに送金先口座を特定する送金先指定情報が入力されたとき、
上記振り込み人特定ＩＤに対応した金額を、上記管理者の口座から上記送金先口座へ送金する送金指令を、上記バンクコンピュータに送信する機能を備えた請求項１に記載のカードシステム。
【発明の詳細な説明】
【技術分野】
【０００１】
この発明は、ＩＤを備えたカードを利用して、贈り主から受取者へ現金などを贈るためのカードシステムに関する。
【背景技術】
【０００２】
従来から、ＩＤを備えたカードをもとにして、現金を贈ることができるカードシステムが知られていた。
具体的には、贈り主が、購入したカードに贈りたい金額を設定すると、贈り主からカードを贈られた受取者は、受け取ったカードのカードＩＤに対応した金額を自分の口座に振り込ませるなどして受け取ることができるというものである。
このようなカードシステムでは、例えば、一枚一枚のカードに特有のカードＩＤと、通信用のＵＲＬとが印刷されたカードを用いる。上記ＵＲＬは、このシステムを運用する管理センターの管理コンピュータにアクセスするためのＵＲＬであり、この管理コンピュータでは、上記カードＩＤに対応づけて贈り主が設定した金額など、様々な情報を登録するようにしている。
【０００３】
そして、このカードシステムでは、管理コンピュータに登録されたカードＩＤに対応づけられた金額が受取者へ贈られることになる。
このようなカードシステムでは、カードに設定された金額が、贈り主から支払われるとともに、受取者の口座などに振り込まれることが必要である。
そこで、贈り主の設定金額がシステム管理者の口座に振り込まれたことを条件に、カードを有効にしたり、受取者の口座への振り込みを許可したりすることが考えられていた。
【０００４】
具体的には、カードを購入した贈り主が受取者へカードを用いて現金を贈る場合には、以下のようにする。
贈り主は、カードを購入する際に、カードを介して贈りたい金額を指定し、その金額とカード代金との合計金額を販売店に支払う。例えば、個々のカードで５０００円を贈ると決めた場合、カード販売店では、自店の端末を用いて上記ＵＲＬで管理サーバーにアクセスし、販売した各カードから読み取ったカードＩＤと上記贈る金額の「５０００円」を対応づけたデータを管理コンピュータへ入力する。
【０００５】
上記カードを、贈り主から受け取った受取者は、カードＩＤをもとにして管理コンピュータにアクセスし、カードＩＤに対応した金額を上記管理者の口座から自分の口座に振り込ませて現金を受けることができる。但し、上記カードＩＤに対応した金額が管理者の口座に振り込まれているなど、一定の条件を満足し、カードＩＤが有効であると判断したときにのみ、管理者側が受取者の口座への送金を金融機関に依頼できるようにしている。
【先行技術文献】
【特許文献】
【０００６】
【特許文献１】特開２００６−１９２６８１号公報
【特許文献２】特開２００８−１１０５４０号公報
【発明の概要】
【発明が解決しようとする課題】
【０００７】
上記従来のカードシステムでは、カードの贈り主は、カードに設定する金額をカード購入時にカード代金とともに支払い、カード販売者が、贈り主から預かった設定金額の総額を金融機関に開設された管理者の口座に販売者名で振り込み、同時に、管理コンピュータに販売済カードのＩＤと、そのＩＤに設定する金額のデータを登録するようにしていた。
【０００８】
このように、従来のカードシステムでは、カード販売者が、贈り主から設定金額を預かり、管理コンピュータにデータを登録する。カードの贈り主が、カード購入とは別のタイミングで販売者を介することなく、特定のカードに付帯させる金額を金融機関の管理者の口座に振り込むことはできなかった。
なぜなら、購入者が管理コンピュータにアクセスして金額等のデータを登録できたとしても管理者の口座に間違いなく振込まれたという証明ができるシステムになっていないからである。
【０００９】
また、金融機関は、管理者の口座へ振り込みがあったとき、振り込み人名と金額を記録し、それを管理者へ通知するが、上記金額に対応したカードＩＤを管理者コンピュータに通知することはできない。
もし、贈り主が、管理者の口座に直接設定金額を振り込むようにした場合には、管理コンピュータにカードＩＤと金額とを対応づけて記憶させるために、贈り主は現金の振り込みとは別に管理コンピュータにアクセスして、振り込みの金額と振り込みの実行された証明、更に、カードＩＤとそのＩＤに設定する金額等の必要なデータを入力しなければならない。それができれば、金融機関で振り込んだ金額とカードＩＤとを対応づけることができるが、それは容易ではない。
【００１０】
つまり、カードの贈り主が、カードに設定する金額を振り込んでから、何らかの手段でカードＩＤと設定金額とを対応付けたデータを、管理コンピュータに登録しなければならない。しかし、その為には贈り主の手間や、管理コンピュータの処理が複雑になってしまう。
特に、同一のカード購入者が複数のカードにそれぞれ金額を設定する場合には、振り込みの名義人を特定するだけでは、金額をカードに対応付けることができないため、上記データの登録作業はより煩雑になってしまう。
【００１１】
一方で、上記従来のカードシステムのようにカード販売者などの業者が金額データを設定する場合には、カードの贈り主はカード購入と金額設定とを同時にしなければならない。つまり、贈り主は自分の好きなタイミングに、好きな金額を設定することができない。そこで、贈り先によって、タイミングに合わせて設定金額を変えることなどが、やり難いという問題があった。
この発明の課題は、設定金額のデータとカードとの対応づけが簡単にでき、カードに対応づける金額の設定を、カードの贈り主が自由にできるカードシステムを提供することである。
【課題を解決するための手段】
【００１２】
第１の発明は、はがきなどのカードと、上記カードに表示され、各カードに特有の情報であって、金融機関の口座への振り込みをする際に振り込み人を特定する振り込み人特定ＩＤと、管理者の口座データを管理する金融機関のバンクコンピュータに接続された管理コンピュータとを備え、上記管理コンピュータは、上記カードに表示された振り込み人特定ＩＤを振り込みの名義人名として上記管理者の口座に振り込みが実施され、これら振り込み人特定ＩＤと振り込まれた金額データとを対応づけた口座データが上記バンクコンピュータから送信されたとき、上記口座データを受信する機能と、受信した口座データを上記振り込み人特定ＩＤに基づいて記憶する機能と、外部機器から上記振り込み人特定ＩＤを指定してアクセスがあったとき、目的の処理を実行する機能とを備えたことを特徴とする。
【００１３】
なお、上記振り込みには、現金の振り込み、口座間の送金、ネットバンキングを利用した振り込みなどが含まれる。
また、上記はがきなどのカードは、ＩＣカードなどデジタルデータの記憶媒体とは違って、表面に振り込み人特定ＩＤを印刷などによって表示できるものならば、その形状、材質などは特に限定されない。
【００１４】
第２の発明は、上記目的の処理が、管理者の口座から他の口座への送金指令を出力する処理であり、上記管理コンピュータは、上記外部機器から振り込み人特定ＩＤとともに送金先口座を特定する送金先指定情報が入力されたとき、上記振り込み人特定ＩＤに対応した金額を、上記管理者の口座から上記送金先口座へ送金する送金指令を、上記バンクコンピュータに送信する機能を備えたことを特徴とする。
【発明の効果】
【００１５】
この発明では、カードの贈り主など、管理者の口座に所定の金額を振り込む振り込み人が、カードに表示された振り込み人特定ＩＤを用いることによって、バンクコンピュータが管理する口座データにおいても、金額データとカードとの対応づけがされることになる。そして、管理コンピュータは、金融機関から送信された口座データを受信して、振り込み人特定ＩＤに基づいて金額データを記憶するので、管理コンピュータ側で、カードと金額データとの対応づけを改めて行なう必要がない。
【００１６】
そのため、カードの贈り主は、金額を設定するタイミングを自由に選べ、カードに所定の金額を自由にかつ簡単に設定できる。
また、管理コンピュータでは、金融機関から送信された管理者の口座データを受信することによって、カードと金額データとの対応づけが正確かつ簡単にできる。
さらに、管理コンピュータは、バンクサーバーから管理者の口座データを受信することによって、カードに設定された金額が実際の口座に振り込まれたことを自動的に知ることができる。そのため、管理コンピュータ側で、実際の振り込みの有無を確認するための特別な処理や、金額データの真偽を確認するための処理を不要にできる。
従って、管理コンピュータを用意すれば、簡単にカードシステムを実現することができる。
【００１７】
第２の発明によれば、振り込み人特定ＩＤと送金先指定信号とを入力するだけで、指定した口座に、カードに対応づけた金額を特定の口座に送金させることができる。
【図面の簡単な説明】
【００１８】
【図１】図１はこの発明の実施形態のシステムの構成を示すブロック図である。
【図２】図２は実施形態のカードシステムで用いるカードの例である。
【図３】図３は金融機関のバンクコンピュータが管理している管理者の口座データである。
【図４】図４は管理コンピュータが管理しているデータを示すテーブルである。
【発明を実施するための形態】
【００１９】
図１〜図４を用いて、この発明の実施形態のカードシステムを説明する。
この実施形態のカードシステムは、カード購入者が贈り主となって、カードを介してその受取者に現金を贈るためのシステムである。
このシステムは、図１に示す通り、このシステムを管理するセンターに設置された管理コンピュータ１を備えている。
【００２０】
この管理コンピュータ１は、金融機関Ａのバンクコンピュータ２、ユーザー端末３及びカード販売者端末４を接続可能にしている。
上記バンクコンピュータ２は、このシステムの管理者名義の口座が開設されている金融機関Ａにおいて口座データを管理するコンピュータである。
また、上記ユーザー端末３は、カードの受取者が使用する端末であり、カード販売者端末４はこのシステムで使用する図２のカードＣを販売する業者が使用する端末である。
なお、上記管理者の口座が、カードシステム専用に開設された口座であれば、管理者が個人的に現金を動かすことがなく、セキュリティ性が保たれ好ましいが、管理者の口座をカードシステム専用にすることは必須ではない。
【００２１】
この実施形態で使用する図２に示すカードＣは郵便はがきであるが、表には上記管理コンピュータ１にアクセスするためのＵＲＬ５と、この発明の振り込み人特定ＩＤとして機能するＩＤ６が表示されている。このＩＤ６は、カードＣごとに対応づけられた固有の情報であり、各カードＣに表示されたＩＤに同一のものは存在させない。
【００２２】
なお、カードＣは郵便はがきなので、贈り主がこれを受取者へ贈るときには、郵送することができるが、このシステムで使用するカードは、郵便はがきに限らなない。メッセージカードでもよいし、絵や写真などが印刷されたカードや、しおりなどでもよい。
また、この実施形態では、上記ＩＤ６の例として数字列を用いているが、ＩＤ６は数字に限らず、文字やその他の記号を用いてもよいし、それらを組み合わせて構成してもよい。
【００２３】
また、カードを贈る手段も、郵送に限らず、手渡しなどでも構わない。
このように、このシステムで使用するカードは、表面に上記ＵＲＬ５やＩＤ６が表示されたものならば、その形態は限定されない。
但し、見た目が美しく、メッセージなどが添えてあるほうが、受取者も楽しみである。
【００２４】
上記バンクコンピュータ２は、金融機関Ａに開設された口座の口座データを管理するコンピュータである。
図３には、管理者の口座データの例をテーブルＴ１として示しているが、このテーブルＴ１は、年月日欄７、摘要欄８、支払金欄９、預り金欄１０及び残高欄１１を備えている。
そして、例えば、この管理者の口座に外部から振り込みがあった場合には、振り込みの日付が年月日欄７に記録されるとともに、振り込まれた金額が預り金欄１０に記録され、上記振り込み人特定ＩＤが上記摘要欄８に記録される。
【００２５】
一方、管理コンピュータ１は、カード販売者によって販売されたカードのカード情報を管理している。上記カード情報は、例えば、図４のテーブルＴ２に示すように、年月日欄１２、ＩＤ欄１３、金額欄１４を備えている。
上記ＩＤ欄１３には、上記カードＣに表示されたＩＤ６が記録され、対応する金額欄１４には、上記カードＣに設定された金額が記録される。
但し、上記金額欄１４の金額データは、カードＣの贈り主が、そのカードに設定する金額を決定し、その金額が上記管理者の口座に振り込まれてから記録されるデータである。
【００２６】
上記のようなシステムで、カードを介して設定金額が受取者へ贈られる手順を以下に説明する。
まず、贈り主が１枚あるいは複数のカードＣを購入すると、カード販売者は販売したカードＣに表示されたＩＤ６を販売済みＩＤとして、カード販売者端末４から管理コンピュータ１へ送信する。この際、カード販売者端末４に専用の読み取り機構を備えて、この読み取り機構によってカードＣのＩＤ６を自動的に読み取って送信するようにしてもよい。
上記販売済みＩＤを受信した管理コンピュータ１では、受信した販売済みＩＤを、上記カード情報とは別に、有効なカードに係るＩＤとして記憶しておく。
【００２７】
次に、カードＣの購入者は、贈り先と金額とを決め、現金を管理者の口座に振り込む。この振り込みは、金融機関の窓口からでもよいし、ＡＴＭ（現金自動預入支払機）からでもよい。
この実施形態では、上記管理者の口座は金融機関Ａに開設されているものとするが、管理者の口座が開設されている金融機関はどこでもよいし、複数の金融機関に開設されていてもよい。この発明の管理者の口座が複数の金融機関に開設されている場合には、上記管理コンピュータ１は、管理者口座を備えている全ての金融機関のコンピュータとそれぞれの金融機関を特定して通信可能にしている。
【００２８】
そして、贈り主は上記設定金額を管理者の口座に振り込む際に、カードＣに表示されているＩＤ６を振り込み人の名義とし、そのカードＣに設定する金額、例えば５０００円を上記管理者の口座に振り込む。具体的には、ＡＴＭでの手続きの際に、振り込み人名の入力欄に、上記振り込み人特定ＩＤであるＩＤ６、例えば「１２３」を入力する。あるいは、振り込み用紙の振り込み人名欄に、上記「１２３」を記入する。
贈り主が上記設定金額を振り込む方法は、現金振り込みのほか、贈り主の口座から管理者の口座への口座間送金、ネットバンキングを利用した振り込みでもよい。いずれにしても、振り込み人名として上記特定ＩＤとしてカードＣに表示されたＩＤ６を用いる。
【００２９】
なお、贈り主が上記設定金額を振り込む先である管理者の口座番号は、設定金額の振り込み方法として説明書に記載して、カード販売時に、贈り主へ渡すようにすればよい。あるいは、カード販売店や管理センターに電話で問い合わせたり、カードに記載されたＵＲＬ５に基づいて管理センターのウエブページにアクセスして確認したりできるようにしてもよい。要するに、カードを購入した贈り主が、金額を設定する際に管理者の口座番号が分かっていればよく、それを知らせる方法はどのようなものでもよい。
【００３０】
上記のようにして現金が振り込まれると、バンクコンピュータ２では、テーブルＴ１の年月日欄７に振り込み日が記録され、摘要欄８に振り込み人特定ＩＤである「１２３」が記録される。さらに、預り金欄１０には上記設定金額として振り込まれた金額データ「５０００円」が記録される。そして、この預り金欄１０に入力された金額データに基づいて合計金額が演算され、その金額が残高欄１１に記録される。
【００３１】
また、別のカードＣに現金を設定する場合も、上記と同様にして、設定金額を管理者の口座へ振り込む。すなわち、カードＣに表示された振り込み人特定ＩＤであるＩＤ６、例えば「２２２」を振り込み人名として、贈り主が管理者の口座に設定金額を振り込む。バンクサーバー２では、図３のテーブルＴ１のように、上記振込み人特定番号「２２２」に振り込まれた金額データ、例えば金額データ「３０００円」を対応づけて口座データとして管理する。
【００３２】
上記のようにして、カードＣに表示された振り込み人特定ＩＤが金額データと対応づけられ、バンクコンピュータ２の口座データとして管理されることになる。
このような口座データは、所定のタイミングでバンクコンピュータ２から管理コンピュータ１へ送信されるようにしている。上記バンクコンピュータ２は、現金や他口座からの振り込みがあったとき、そのたびに振り込み人名あるいは上記振り込み人特定ＩＤと金額データとを対応づけた口座データを管理コンピュータ１へ送信するようにしてもよいし、一定の期間ごとに上記口座データを送信するようにしてもよい。
【００３３】
管理コンピュータ１は、上記バンクコンピュータ２から送信された口座データを受信したら、上記振り込み人特定ＩＤと金額データとを対応づけたカード情報として記憶する。このカード情報では、上記振り込み人特定ＩＤが、カードを特定するＩＤとして図４のテーブルＴ２のＩＤ欄１３に記録される。
なお、この管理コンピュータ１で管理するカード情報が、上記振り込み人特定ＩＤに基づいて管理コンピュータ１が記憶するこの発明の口座データに当たる。
【００３４】
また、上記口座データには、上記カードＣへの設定金額以外の預り金や、図３テーブルＴ１の２４年１０月２日のような支払金のデータも管理しているが、管理コンピュータ１では、上記振り込み人特定ＩＤと対応づけられた金額データのみを、カード情報として記録する。そのために、管理コンピュータ１は、バンクコンピュータ２から受信した上記口座データの摘要欄８のデータを、カードの販売時にカード販売者端末４から送信された販売済みカードＩＤと対比して、振り込み人特定ＩＤを抽出するようにしている。
【００３５】
以上の手順で、管理コンピュータ１には振り込み人特定ＩＤであるＩＤ６と贈り主に振り込まれた金額データとを対応づけたカード情報が登録されることになる。
一方、カードＣに金額データを設定した贈り主は、そのカードＣを受取者へ郵送する。カードＣの受取者は、ユーザー端末３を使用して、受け取ったカードＣに表示されたＵＲＬ５を用いて管理コンピュータ１へアクセスし、この実施形態のカードシステム専用のウエブページを表示させる。
【００３６】
そして、受取者は上記ウエブページから、受け取ったカードＣに記載されたＩＤ６に設定された金額を自身の口座に送金させる手続きをする。
具体的には、受取者は、上記ＩＤ６とともに送金先指定情報として自身の口座番号を入力する。
また、暗証番号等で受取者の本人証明がなされた場合には、受取者ではない受取者の指定する他者の口座に送金できるようにしてもよい。
管理コンピュータ１は、上記ＩＤ６とともに送金先の口座番号が入力されたら、入力されたＩＤ６がカード情報として登録されているかどうかを確認する。上記ＩＤ６がカード情報として登録されていれば、そのＩＤに対応付けられた金額を管理者口座から受取者に指定された口座へ送金する送金指令をバンクコンピュータ２へ送信する。
【００３７】
金融機関Ａでは、口座の名義人である管理者からの送金指令を受けて、管理者の口座から、受取者が指定した受取者の口座あるいは他者の口座への送金を実行する。
例えば、上記受取者が指定したＩＤ６が「３０１」ならば、管理コンピュータ１は、図４に示すカード情報から、ＩＤ６「３０１」に対応する金額データ「５０００円」を特定し、管理者の口座から５０００円を受取者が指定した口座へ送金する送金指令をバンクコンピュータ２へ送信する。これにより、管理者の口座から受取者が指定した口座へ上記カードに設定された５０００円が送金されることになる。
【００３８】
なお、管理コンピュータ１は上記送金指令を送信したら、この送金指令に関わるＩＤを無効にする。あるいは、バンクコンピュータ２から送金が実行されたとの通知を受けてから、上記ＩＤを無効にしてもよい。
上記ＩＤを無効にするのは、同じカードＣが再び使用されることがないようにするためである。具体的には、カード販売時に受信して記憶した上記販売済みＩＤから、上記使用済みカードＣのＩＤを削除するとともに、このＩＤに対応づけられたデータをテーブルＴ２から削除する。あるいは、無効となるＩＤに無効フラグを対応づけるようにしてもよい。
【００３９】
以上のように、このカードシステムでは、カードに表示されたカード特有の振り込み人特定ＩＤを用いて振り込みができるため、口座データの中でカードと金額データとの対応づけができる。
そのため、贈り主はカードごとの金額設定を任意のタイミングで簡単に行なうことができる。
【００４０】
例えば、カードの購入と同時に、設定金額を払い込まなければならないシステムでは、全てのカードに対応づける設定金額が決まって、その金額を用意してからでなければ、カードの贈り主はカードを購入することができないが、この実施形態のカードシステムでは、金額設定のタイミングが自由になって、金額設定の自由度が高くなる。特に、ＡＴＭを利用してカードに金額を設定できることは、贈り主にとって非常に便利である。
また、管理コンピュータ１も、バンクコンピュータ２から受信した口座データのみに基づいて、カード固有のＩＤ６と金額データとの対応づけができるため、複雑な処理が不要になりカードシステムの導入が容易になる。
【００４１】
この実施形態では、カードＣの受取者が使用するユーザー端末３がこの発明の外部機器であり、上記管理コンピュータ１がバンクコンピュータ２に送金指令を送信する処理がこの発明の目的の処理である。
但し、このカードシステムでは、カードＣの受取者が現金を受け取る代わりに、カードに設定された金額で買い物ができるようにすることもできる。
その場合には、カードに設定された金額は、商品の販売者宛てに送金されることになる。そして、送金先の指定情報を入力する外部機器は、カードの受取者が使用するユーザー端末３ではなく、商品の販売店に設置された端末などである。
また、上記設定金額をネットショッピングで利用するようにした場合には、管理者の口座からの送金先は、ネットショップ管理者や決済機関を名義人とする口座となる。
【００４２】
さらに、セキュリティ性を上げるため、管理コンピュータ１において管理するカード情報に、上記各欄１２〜１４のほかに、贈り主や受取者に関する情報、パスワードなどを記録する欄を備え、これらの情報をＩＤに対応づけて管理することもできる。
例えば、贈り主が管理コンピュータ１にアクセスして、振り込み人特定ＩＤである上記ＩＤ６とともに、受取者の住所、氏名、電話番号などの受取者情報を入力し、この情報をＩＤに対応づけて管理コンピュータ１に登録しておけば、受取者が管理コンピュータ１にアクセスして自身の口座への振り込みを依頼する際に、上記受取者情報を入力することによって受取者を認証することができる。
【００４３】
また、贈り主が設定したパスワードを用いて、受取者の認証を行なうこともできる。この場合には、受取者が受け取ったカードＣを利用する前に、贈り主が受取者に上記パスワードを知らせる必要がある。但し、例えば、贈り主の電話番号や受取者の誕生日等をパスワードの代わりに利用すれば、贈り主が受取者へパスワード等を特別に知らせなくてもよくなる。
さらに、管理コンピュータ１に、贈り主情報を登録しておけば、カードＣの受取者がカードＣを利用しなかった場合に、贈り主にその旨を通知したり、上記設定金額を返金したりすることもできる。
【産業上の利用可能性】
【００４４】
金額設定の自由度が高いカードシステムが実現できる。
【符号の説明】
【００４５】
Ｃ    カード
１    管理コンピュータ
２    バンクコンピュータ
６    振り込み人特定ＩＤ
１３  ＩＤ欄
１４  金額欄
Ｔ１  （口座データの）テーブル
Ｔ２  （ユーザー情報の）テーブル
【図１】
2014085702.tif 000003
【図２】
2014085702.tif 000004
【図３】
2014085702.tif 000005
【図４】
2014085702.tif 000006